(57)【特許請求の範囲】
【請求項１】
一方の型と、
一方の型に嵌合され、一方の型との間に塗工液排出用の吐出口を形成する他方の型とを備え、
一方の型と他方の型との間の吐出口は、中央吐出口と、この中央吐出口の両側に設けられ、中央吐出口のスリット間隙より小さなスリット間隙を有する一対の側部吐出口とを有し、
一方の型は、凹部を有し、他方の型は、一方の型の凹部に対応する凹部を有し、
一方の型の凹部と、これに対応する他方の型の凹部とによって、吐出口が形成されていることを特徴とするダイヘッド。
【請求項２】
一対の側部吐出口は両側端に向って先細状になっていることを特徴とする請求項１記載のダイヘッド。
【請求項３】
中央吐出口および一対の側部吐出口は、いずれも矩形状をなしていることを特徴とする請求項１記載のダイヘッド。
【発明の詳細な説明】
【０００１】
【発明の属する技術分野】
本発明はウェブに対して帯状模様に塗工液を塗布するダイヘッドに関する。
【０００２】
【従来の技術】
従来より、ウェブに対して帯状模様に塗工液を塗布するダイヘッドとして、吐出口を形成する一対の型を有するものが知られている。
【０００３】
この場合、一対の型間には塗工液の非塗工部が形成され、その他の開口部分によって塗工液の吐出口が断続的に複数形成される。
【０００４】
一対の型間に断続的に形成された各吐出口の両側部にはＲ形状等が形成され、ウェブ上に帯状模様に塗布された塗工液の両端部が厚膜になることを防止している。
【０００５】
【発明が解決しようとする課題】
上述のように、一対の型間に形成された各吐出口には、その両側部にＲ形状等が形成され、塗工液の両端部における厚膜化を防止している。
【０００６】
しかしながら、吐出口の両側部のＲ形状を高精度に加工することは難しい。
【０００７】
本発明はこのような点を考慮してなされたものであり、加工が容易でかつウェブ上に形成された塗工液の両端部における厚膜化を確実に防止することができるダイヘッドを提供することを目的とする。
【０００８】
本発明は、一方の型と、一方の型に嵌合され、一方の型との間に塗工液排出用の吐出口を形成する他方の型とを備え、一方の型と他方の型との間の吐出口は、中央吐出口と、この中央吐出口の両側に設けられ、中央吐出口のスリット間隙より小さなスリット間隙を有する一対の側部吐出口とを有し、一方の型は、凹部を有し、他方の型は、一方の型の凹部に対応する凹部を有し、一方の型の凹部と、これに対応する他方の型の凹部とによって、吐出口が形成されていることを特徴とするダイヘッドである。
【０００９】
本発明によれば吐出口は中央吐出口と、この中央吐出口の両側に設けられ、中央吐出口のスリット間隙より小さなスリット間隙を有する一対の側部吐出口とを有するので、吐出口の両側から吐出される塗工液の量を中央部分に比較して制限することができる。
【００１０】
【発明の属する技術分野】
以下、図面を参照して本発明の実施の形態について説明する。
【００１１】
図１乃至図３は本発明によるダイヘッドの一実施の形態を示す図である。このうち、図１（ａ）はダイヘッドの斜視図であり、図１（ｂ）はダイヘッドの吐出口の拡大図である。
【００１２】
図１乃至図３に示すように、ダイヘッド１０は、複数の凹部１１ａを有する一方の型（上流型）１１と、一方の型１１に嵌合されるとともに、複数の凹部１２ａを有する他方の型（下流型）１２とを備えている。
【００１３】
このうち一方の型１１の凹部１１ａと他方の型１２の凹部１２ａとによって複数の吐出口１８が形成され、一方の型１１の凹部１２ａ以外の部分１１ｂと、他方の型１２の凹部１２以外の部分１２ｂは互いに当接して吐出口１８間に位置する非吐出部１９を形成している。
【００１４】
吐出部１８を形成する一方の型１１の凹部１１ａはその幅がＷ１  となっており、他方の型１２の凹部１２ａはその幅がＷ１  より大きなＷ２  となっている。このため凹部１１ａと凹部１２ａとによって形成される吐出口１８は、中央吐出口１８ａと、中央吐出口１８ａの両側に設けられた一対の側部吐出口１８ｂとからなる。このうち中央吐出口１８ａは、スリット隙間Ｈ１  を有し、側部吐出口１８ｂは中央吐出口１８ａのスリット隙間Ｈ１  より小さなスリット隙間Ｈ２  を有している（図１（ｂ））。
【００１５】
また一方の型１１の凹部１１ａは略矩形状をなし、他方の型１２の凹部１２ａも略矩形状をなしている。このため中央吐出口１８ａおよび側部吐出口１８ｂは、いずれも矩形状となっている（図１（ｂ））。
【００１６】
また一方の型１１と他方の型１２との間には、塗工液３０が流入するマニホールド１６が形成され、一方の型１１にはマニホールド１６に連通する塗工流入口１６ａが設けられている。
【００１７】
次に、このような構成からなる本実施の形態の作用について説明する。
【００１８】
まず、図１（ａ）（ｂ）に示すように、ダイヘッド１０の複数の吐出口１８上をウェブＷが走行し、このように走行するウェブＷに対してダイヘッド１０内のマニホールド１６に供給された塗工液３０が各吐出口１８から吐出される。この場合、各吐出口１８は中央吐出口１８ａと、この中央吐出口１８ａのスリット隙間Ｈ１  より小さなスリット隙間Ｈ２  を有する側部吐出口１８ｂとからなっているので、各吐出口１８の両側（側部吐出口１８ｂ）から吐出される塗工液３０の量を中央吐出口１８ａから吐出される塗工液３０の量に比較して制限することができる。
【００１９】
ダイヘッド１０は複数断続的に形成された吐出口１８を有しているので、ウェブＷ上に塗工液３０を断続的に塗布することができるが、一般に断続的に塗布された塗工液３０は中央部分３０ａと、厚膜の両端部分３０ｂとを有することになる（図３の二点鎖線）。
【００２０】
ここで図３において、ウェブＷは断面に直交する方向に沿って走行する。
【００２１】
本発明によれば、ダイヘッド１０の各吐出口１８の両側から吐出される塗工液の量を中央部分に比較して制限することができるので、ウェブＷ上の塗工液３０の両端部分３０ｂにおける厚膜化を確実に防止することができる（図３の実線）。
【００２２】
また各吐出口１８は矩形状の凹部１１ａと矩形状１２ｂとからなり、矩形状の凹部１１ａ、１２ａはＲ形状のものに比べて容易に成形加工することができるので、吐出口１８の成形精度を向上させることができる。
【００２３】
次に図４により、本発明によるダイヘッドの他の実施の形態について説明する。図４に示す実施の形態は、他方の型１２が複数の吐出ブロック１３と、吐出ブロック１３間に配置された非吐出ブロック１４とを有し、吐出ブロック１３により吐出口１８を形成するとともに、非吐出ブロック１４により非吐出部１９を形成したものである。
【００２４】
他の構成は図１乃至図３に示す実施の形態と略同一である。
【００２５】
図４において、図１乃至図３に示す実施の形態と同一部分には同一符号を付して詳細な説明は省略する。
【００２６】
図４において、吐出口１８は中央吐出口１８ａと、中央吐出口１８ａのスリット間隙Ｈ１  より小さなスリット隙間Ｈ２  を有する一対の側部吐出口１８ｂとを有している。
【００２７】
また、図４において、他方の型１２は、吐出ブロック１３と非吐出ブロック１４を支持する支持型３２を有し、吐出ブロック１３と非吐出ブロック１４は支持型３２にボルト２１，２２により固定保持されている。
【００２８】
次に図５および図６により、本発明によるダイヘッドの更に他の実施の形態について説明する。
【００２９】
このうち図５はダイヘッドの斜視図であり、図６（ａ）−（ｃ）は一方の型１１の凹部１１ａを示す図である。
【００３０】
図５および図６に示す実施の形態は、ダイヘッド１０の各吐出口１８が中央吐出口１８ａと、一対の側部吐出口１８ｂとからなるとともに、一対の側部吐出口１８ｂを両側縁に向って先細状に形成したものである。
【００３１】
図５および図６において、図１乃至図３に示す実施の形態と同一部分には同一符号を付して詳細な説明は省略する。
【００３２】
次に図６（ａ）−（ｃ）により、吐出口１８の側部吐出口１８ｂを形成する一方の型１１の凹部１１ａの形状について更に詳述する。一方の型１１の凹部１１ａの両側部には傾斜カット面２４が形成され、この傾斜カット面２４を含む凹部１１ａの高さｈ１  は３０〜５０ｍｍとなっている（図６（ａ））。
【００３３】
なお、傾斜カット面２４の代わりに凹状のＲ形カット面２５を設けてもよく、この場合、凹状のＲ形カット面２５を含む凹部１１ａの高さｈ２  は３０〜５０ｍｍとなっている（図６（ｂ））。
【００３４】
また傾斜カット面２４の代わりに凸状のＲ形カット面２６を設けてもよく、凸状のＲ形カット面２６を含む凹部１１ａに高さｈ３  は３０〜５０ｍｍとなっている（図６（ｃ））。
【００３５】
また図６（ａ）−（ｃ）では図示していないが、他方の型１２にも、一方の型１１の傾斜カット面２４に対応して同様の傾斜カット面が形成される（図６（ａ）参照）。
【００３６】
また一方の型１１の凹状のＲ形カット面２５あるいは凸状のＲ形カット面２６が形成された場合は、他方の型１２にも凹状のＲ形カット面あるいは凸状のＲ形カット面が形成される（図６（ｂ）（ｃ）参照）。
【００３７】
【発明の効果】
以上のように本発明によれば、ダイヘッドの吐出口から吐出される塗工液のうち、吐出口の両側から吐出される塗工液の量を制限することができる。このためウェブ上に塗工される塗工液について、とりわけ両端部分における厚膜化を確実に防止することができる。
【図面の簡単な説明】
【図１】本発明によるダイヘッドの一実施の形態を示す図
【図２】ダイヘッドを構成する一方の型のマニホールド部分を示す図
【図３】ウェブ上に塗工された塗工液を示す図
【図４】本発明によるダイヘッドの他の実施の形態を示す図
【図５】本発明によるダイヘッドの更に他の実施の形態を示す図
【図６】ダイヘッドを構成する一方の型の凹部形状を示す図
【符号の説明】
１０  ダイヘッド
１１  一方の型
１１ａ  凹部
１２  他方の型
１２ａ  凹部
１６  マニホールド
１８  吐出口
１８ａ  中央吐出口
１８ｂ  側部吐出口
１９  非吐出部
２４  傾斜カット面
２５  凹状のＲ形カット面
２６  凸状のＲ形カット面
【図１】
0004559584.tif 000002
【図２】
0004559584.tif 000003
【図３】
0004559584.tif 000004
【図４】
0004559584.tif 000005
【図５】
0004559584.tif 000006
【図６】
0004559584.tif 000007